(57)【要約】【課題】  起床予定時刻まで眠ることができ、睡眠が浅い状態で快適に起床できる睡眠支援装置及びプログラムを提供すること。【解決手段】睡眠支援装置１は、周知のタイマから成り、起床予定時刻を設定することができる時間設定手段３と、生体情報を検出する生体情報検出手段５と、生体情報に基づいて睡眠状態を判定する睡眠状態判定手段７と、制御手段９と、覚醒手段１１とから構成される。覚醒手段１１は、起床予定時刻前の睡眠状態調整期間において、睡眠状態の判定に基づく動作強度により、睡眠状態調整を行う。【選択図】  図１
2005177158.tif 000002
【特許請求の範囲】
【請求項１】
起床予定時刻を設定する起床予定時刻設定手段と、
前記起床予定時刻に基づいて覚醒動作を行う覚醒手段と、を備える睡眠支援装置であって、
生体情報を検出する生体情報検出手段と、
前記生体情報に基づいて睡眠状態を判定する睡眠状態判定手段と、
前記起床予定時刻以前の睡眠状態調整期間において前記覚醒手段を用いて睡眠状態を調整する睡眠状態調整手段と、
前記睡眠状態判定手段の判定に基づいて、前記睡眠状態調整期間における前記覚醒手段の動作強度及び／又は動作時間を調整する覚醒動作調整手段と、を備えることを特徴とする睡眠支援装置。
【請求項２】
前記覚醒動作調整手段は、少なくとも前記睡眠状態調整期間の一部において、前記睡眠状態判定手段により睡眠状態が深いと判定された場合の前記覚醒手段の動作強度を、前記睡眠状態判定手段により睡眠状態が浅いと判定された場合の前記覚醒手段の動作強度よりも高く設定することを特徴とする請求項１に記載の睡眠支援装置。
【請求項３】
前記覚醒動作調整手段は、前記睡眠状態判定手段により睡眠状態が深いと判定された場合における前記睡眠状態調整期間内での前記覚醒手段の動作時間を、前記睡眠状態判定手段により睡眠状態が浅いと判定された場合における前記睡眠状態調整期間内での前記覚醒手段の動作時間よりも長く設定することを特徴とする請求項１又は２に記載の睡眠支援装置。
【請求項４】
前記覚醒手段は、前記起床予定時刻以後は、前記睡眠状態調整期間における動作強度よりも高い動作強度で動作することを特徴とする請求項１〜３のいずれかに記載の睡眠支援装置。
【請求項５】
前記睡眠状態調整期間以前の覚醒準備期間において、前記覚醒手段を、前記睡眠状態調整期間における動作強度よりも低い動作強度で動作させる覚醒準備手段を有することを特徴とする請求項１〜４のいずれかに記載の睡眠支援装置。
【請求項６】
前記睡眠状態調整期間以前の所定の期間において、前記睡眠状態判定手段により、前記睡眠状態が基準睡眠状態よりも浅いと判定された場合は、前記睡眠状態調整期間の開始時刻を再設定する睡眠状態調整期間再設定手段を有することを特徴とする請求項１〜４のいずれかに記載の睡眠支援装置。
【請求項７】
前記睡眠状態調整期間再設定手段は、前記睡眠状態判定手段により、前記睡眠状態が前記基準睡眠状態よりも浅いと判定された時刻を睡眠状態調整期間の新たな開始時刻とすることを特徴とする請求項６記載の睡眠支援装置。
【請求項８】
前記睡眠状態調整期間以前の所定の期間において、前記睡眠状態判定手段により、前記睡眠状態が基準睡眠状態よりも浅いと判定された場合は、前記起床予定時刻を再設定する起床予定時刻再設定手段を有することを特徴とする請求項１〜５のいずれかに記載の睡眠支援装置。
【請求項９】
前記起床予定時刻再設定手段は、前記睡眠状態判定手段により、前記睡眠状態が基準睡眠状態よりも浅いと判定された時刻を新たな起床予定時刻とすることを特徴とする請求項８記載の睡眠支援装置。
【請求項１０】
前記覚醒手段は光を用いて覚醒させるものであることを特徴とする請求項１〜９のいずれかに記載の睡眠支援装置。
【請求項１１】
前記生体情報検出手段が脈波センサであることを特徴とする請求項１〜１０のいずれかに記載の睡眠支援装置。
【請求項１２】
請求項１〜１１のいずれかに記載の睡眠支援装置の機能を実現させるプログラム。
【発明の詳細な説明】
【技術分野】
【０００１】
本発明は、使用者を快適に目覚めさせることができる睡眠支援装置に関する。
【背景技術】
【０００２】
近来睡眠に対する関心が高まっており、睡眠を支援する装置が望まれている。例えば、設定した起床時刻にブラインドを開けて光により快適に目覚めさせる技術が知られている（特許文献１参照）。しかしながら、人間の睡眠状態には、浅い睡眠状態と深い睡眠状態とから成る睡眠のリズムがあり、深い睡眠状態の時点で起こされると不快に感じてしまう。そこで、人間の生体情報から睡眠の浅い／深いを判定し、設定された起床予定時刻以前で、これに近い時間帯に浅い睡眠状態を検出すると、その時点で目覚まし手段を動作させるという技術が知られている（特許文献２、特許文献３参照）。
【特許文献１】特開平８−６０９５５号公報
【特許文献２】特開平６−２７２６３号公報
【特許文献３】特開２００１−２３１８６４号公報
【発明の開示】
【発明が解決しようとする課題】
【０００３】
しかしながら、目覚まし手段を動作させる時刻が起床予定時刻よりも早い場合は、その分だけ睡眠時間が短くなってしまい、起床予定時刻まで寝ていたいという使用者の要望に応えることができないという問題があった。
【０００４】
本発明は以上の点に鑑みなされたものであり、起床予定時刻まで眠ることができ、睡眠が浅い状態で快適に起床できる睡眠支援装置及びプログラムを提供することを目的とする。
【課題を解決するための手段】
【０００５】
（１）請求項１の睡眠支援装置は、生体情報検出手段により生体情報を検出し、その生体情報に基づいて、睡眠状態判定手段により睡眠状態を判定する。そして、睡眠状態判定手段の判定に基づいて、睡眠状態調整期間における覚醒手段の動作強度及び／又は動作時間を調整する。ここで、睡眠状態調整期間とは、起床予定時刻設定手段により設定された起床予定時刻以前の期間であって、覚醒手段を用いて睡眠状態を調整する期間である。
【０００６】
具体的には、使用者の睡眠状態が深いと判定された場合は、例えば、睡眠状態調整期間における覚醒手段の動作強度を高く設定したり、動作時間を長く設定したり、又はその両方を行う。そのことにより、使用者の睡眠状態は、起床予定時刻直前には、浅い睡眠状態となっている。そのため、起床予定時刻において、例えば覚醒手段の動作強度を十分高くすることにより、使用者は浅い睡眠状態から快適に目覚めることができ、不快な思いをすることがない。
また、浅い睡眠状態であると判定された場合は、睡眠状態調整期間における覚醒手段の動作強度を低く設定したり、動作時間を短く設定したり、又はその両方を行う。そのことにより、使用者が浅い睡眠状態にある場合でも、起床予定時刻以前に不本意に目を覚ましてしまうようなことがなく、起床予定時刻までゆっくりと眠ることができる。また、浅い睡眠状態であると判定された場合、起床予定時刻において、例えば、覚醒手段の動作強度を十分高くすると、使用者は浅い睡眠状態から快適に目覚めることになるので、不快な思いをすることがない。
前記起床予定時刻設定手段としては、例えば、周知のタイマ等が挙げられる。
前記覚醒手段としては、例えば、音、光、振動等により覚醒させるものが挙げられる。自然な目覚めを可能にするという点では、光を用いるものが好ましい。覚醒手段の動作強度とは、上記音、光、振動等の強度をいう。また、覚醒手段の動作時間とは、上記音、光、振動等を供給する時間をいう。尚、覚醒手段の動作強度は、例えば、時間の経過とともに徐々に強くなるように設定することができる。また、動作強度は、初期においては時間の経過とともに徐々に強くなり、一定の動作強度に達した後は、その動作強度を維持するように設定できる。覚醒手段は、所定期間に連続的に動作させてもよく、あるいは、間歇的に動作させてもよい。間歇的に動作させた場合の動作時間は、合計の動作時間とすることができる。
前記生体情報とは、睡眠状態と相関する生体情報を全て含む。具体的には、例えば、脈波、心拍数、呼吸数、使用者の体動等が挙げられる。前記生体情報検出手段としては、それら生体情報を検出可能なセンサが挙げられる。
（２）請求項２の睡眠支援装置では、少なくとも睡眠状態調整期間の一部において、睡眠状態判定手段により睡眠状態が深いと判定された場合の覚醒手段の動作強度は、睡眠状態判定手段により睡眠状態が浅いと判定された場合の覚醒手段の動作強度よりも高く設定される。このことにより、使用者は快適に目覚めることができると同時に、起床予定時刻まで眠ることができ、睡眠時間を確保することができる。
つまり、使用者の睡眠状態が深いと判定された場合は、睡眠状態調整期間における覚醒手段の動作強度が高く設定されるので、使用者の睡眠状態は、起床予定時刻直前には、浅い睡眠状態となっている。そのため、起床予定時刻において、例えば覚醒手段の動作強度を十分高くすることにより、使用者は浅い睡眠状態から快適に目覚めることができ、不快な思いをすることがない。
また、浅い睡眠状態であると判定された場合は、睡眠状態調整期間における覚醒手段の動作強度が低く設定されるので、使用者が浅い睡眠状態にある場合でも、起床予定時刻以前に不本意に目を覚ましてしまうようなことがなく、起床予定時刻までゆっくりと眠ることができる。また、浅い睡眠状態であると判定された場合、起床予定時刻において、例えば、覚醒手段の動作強度を十分高くすると、使用者は浅い睡眠状態から快適に目覚めることになるので、不快な思いをすることがない。
（３）請求項３の睡眠支援装置では、睡眠状態判定手段により睡眠状態が深いと判定された場合における睡眠状態調整期間内での覚醒手段の動作時間は、睡眠状態判定手段により睡眠状態が浅いと判定された場合における睡眠状態調整期間内での覚醒手段の動作時間よりも長く設定される。このことにより、使用者は快適に目覚めることができると同時に、起床予定時刻まで眠ることができ、睡眠時間を確保することができる。
つまり、使用者の睡眠状態が深いと判定された場合は、睡眠状態調整期間における覚醒手段の動作時間が長く設定されるので、使用者の睡眠状態は、起床予定時刻直前には、浅い睡眠状態となっている。そのため、起床予定時刻において、例えば覚醒手段の動作強度を十分高くすることにより、使用者は浅い睡眠状態から快適に目覚めることができ、不快な思いをすることがない。
また、浅い睡眠状態であると判定された場合は、睡眠状態調整期間における覚醒手段の動作時間が短くされるので、使用者が浅い睡眠状態にある場合でも、起床予定時刻以前に不本意に目を覚ましてしまうようなことがなく、起床予定時刻までゆっくりと眠ることができる。また、浅い睡眠状態であると判定された場合、起床予定時刻において、例えば、覚醒手段の動作強度を十分高くすると、使用者は浅い睡眠状態から快適に目覚めることになるので、不快な思いをすることがない。
（４）請求項４の睡眠支援装置では、覚醒手段は、起床予定時刻以後は、睡眠状態調整期間における動作強度よりも高い動作強度で動作する。そのため、使用者は起床予定時刻に確実に目覚めることができる。
（５）請求項５の睡眠支援装置では、睡眠状態調整期間以前の覚醒準備期間において、覚醒手段を、睡眠状態調整期間における動作強度よりも低い動作強度で動作させる。そのことにより、使用者の体に覚醒準備をさせることができ、起床予定時刻において一層快適に使用者を目覚めさせることができる。
（６）請求項６の睡眠支援装置は、睡眠状態調整期間以前の所定の期間において、睡眠状態判定手段により、睡眠状態が基準睡眠状態よりも浅いと判定された場合は、睡眠状態調整期間の開始時刻を再設定する。
つまり、睡眠状態が浅いと判定された場合に、例えば、その判定のなされた時刻、またはその時刻から所定時間経過後の時刻を睡眠状態調整期間の開始時刻として再設定する。このことにより、睡眠状態調整手段の実行、及びそれに続く目覚ましのための処理は、睡眠状態の浅い状態にて行われることになるので、使用者は快適に目覚めることができる。
（７）請求項７の睡眠支援装では、睡眠状態判定手段により睡眠状態が基準睡眠状態よりも浅いと判定された時刻を睡眠状態調整期間の新たな開始時刻とする。そのことにより、睡眠状態調整手段の実行、及びそれに続く目覚ましのための処理は、睡眠状態の浅い状態にて行われるので、使用者は快適に目覚めることができる。
（８）請求項８の睡眠支援装置では、睡眠状態調整期間以前の所定の期間において、睡眠状態判定手段により睡眠状態が基準睡眠状態よりも浅いと判定された場合は、起床予定時刻を再設定する。
つまり、睡眠状態が浅いと判定された場合に、例えば、その判定のなされた時刻、またはその時刻から所定時間経過後の時刻を起床予定時刻として再設定する。そのことにより、起床予定時刻における目覚ましのための処理は、睡眠状態の浅い状態で行われることになるので、使用者は快適に目覚めることができる。
（９）請求項９の睡眠支援装置では、睡眠状態判定手段により、睡眠状態が基準睡眠状態よりも浅いと判定された時刻を新たな起床予定時刻とする。そのことにより、起床予定時刻における目覚ましのための処理は、睡眠状態の浅い状態にて行われることになるので、使用者は快適に目覚めることができる。
（１０）請求項１０の睡眠支援装置では、覚醒手段は光を用いて覚醒させるものである。
そのため、使用者は自然な目覚めをすることができる。
【０００７】
光を用いる覚醒手段としては、例えば、周知の照明器具等の人工照明を発生させるものがある。また、窓に装着したブラインドの開閉を制御する等の手段により自然照明（太陽光）を取り入れるものがある。覚醒手段として、例えば、人工照明を発生させるものと、自然照明（太陽光）を取り入れるものとを組み合わせて用いてもよい。例えば、睡眠状態調整期間においては、人工照明を用いるとともに、起床予定時刻以降において使用者を目覚めさせるために自然照明を用いることができる。
（１１）請求項１１の睡眠支援装置では、生体情報検出手段が脈波センサである。このことにより、使用者の生体情報を正確かつ簡便に測定することができる。
（１２）請求項１２のプログラムを睡眠支援装置に用いることにより、請求項１〜１１のいずれかに記載の睡眠支援装置の機能を実現させることができる。例えば、請求項１２のプログラムを用いてコンピュータを請求項１〜１１のいずれかに記載の睡眠支援装置の制御手段として機能させることができる。
【発明を実施するための最良の形態】
【０００８】
以下に本発明の睡眠支援装置及びプログラムの形態の例（実施例）を説明する。
【実施例１】
【０００９】
ａ）まず、本実施例１の睡眠支援装置の構成を図１を用いて説明する。睡眠支援装置１は、周知のタイマから成り、起床予定時刻を設定することができる時間設定手段（起床予定時刻設定手段）３と、生体情報を検出して後述する睡眠状態判定手段７に生体情報を伝える生体情報検出手段５と、睡眠状態判定手段７と、制御手段９と、覚醒手段１１とから構成される。
【００１０】
生体情報検出手段５を図２を用いて詳細に説明する。生体情報検出手段５は、人体（指、腕、こめかみ等）に簡便に装着して使用する光学式の脈波センサであって、血液中のヘモグロビンの光吸収特性を利用して末梢動脈の血液の波動的な容積変化を計測する。ここで脈波とは、心拍につれて起こる動脈内の圧力変動が、末梢動脈に波動として伝わるものである。
【００１１】
生体情報検出手段５は、発光素子１３及び受光素子１５を備えた周知の反射光学式の検出部１７と、発光素子１３を駆動する駆動回路１９と、受光素子１５の信号を検出する検出回路２１と、検出回路２１で検出した信号を解析するデータ解析部２３とからなる。
【００１２】
この生体情報検出手段５の測定原理を以下に説明する。まず、発光素子１３から人体２５に向かって光が照射されると、光の一部が人体２５の内部を通る毛細動脈２７に当たって、毛細動脈２７を流れる血液中のヘモグロビンに吸収され、残りの光が毛細動脈２７で反射して散乱し、その一部が受光素子１５に入射する。このとき、血液の脈動により毛細動脈２７にあるヘモグロビンの量が波動的に変化するので、ヘモグロビンに吸収される光も波動的に変化する。その結果、毛細動脈２７で反射して受光素子１５で検出される受光量が変化し、その受光量の変化を検出回路２１を通して、脈波情報（例えば電圧信号）としてデータ解析部２３に出力する。データ解析部２３は、図２に示すように、脈波から脈拍間隔を検出し、脈拍数に変換する。
【００１３】
次に、睡眠状態判定手段７について図３を用いて説明する。図３は、一晩の睡眠中における脈拍の推移を示している。尚、図３の横軸は時間（分）であって、縦軸は生体情報検出手段５で検出した脈拍数である。
【００１４】
睡眠状態（浅い、深い）と脈拍数とは相関しており、睡眠状態が深いと脈拍数は低くなり、睡眠状態が浅いと脈拍数は高くなる。従って、脈拍数から睡眠状態を判定することができる。具体的には、まず、寝始めの期間における脈拍数の変動から、使用者の特性に応じて、任意の判定値（図３における点線）を定める。そして、脈拍数がその判定値よりも低い場合は深い睡眠状態であると判定し、脈拍数が判定値よりも高い場合は浅い睡眠状態であると判定する。
【００１５】
制御手段９は、図示しない記憶手段を備えており、その記憶手段に、睡眠支援装置１の後述する各機能を実現するためのプログラムを記憶している。また、制御装置９は後述するように覚醒手段１１の動作強度を調整することで、覚醒動作調整手段として機能する。
【００１６】
覚醒手段１１は、使用者の就寝する部屋に設けられた周知の照明器具と、当該部屋の窓に装着したブラインドの開閉手段とを有している。従って覚醒手段１１は、照明装置を点灯することで、就寝中の使用者に人工光を照射することができる。また、覚醒手段１１は、ブラインド開閉手段によりブラインドを開けることにより、就寝中の使用者に自然光を照射することができる。この覚醒手段１１は、後述するように睡眠状態調整手段及び覚醒準備手段として用いられる。尚、覚醒手段１１は、上記のように光を用いるものの他に、音を用いるもの（例えばスピーカ等）、振動を用いるもの等であってもよいが、自然な目覚めを可能にするためには、光を用いるものが好ましい。
【００１７】
ｂ）次に、本実施例の睡眠支援装置１の作用を図４を用いて説明する。図４の横軸は時間であり、縦軸は覚醒手段１１により使用者に照射される光の照度（動作強度）である。
時刻Ｔ１からＴ２までの期間は、覚醒準備期間である。ここで、時刻Ｔ１は、後述する起床予定時刻Ｔ５の３０分前の時刻であり、時刻Ｔ２は時刻Ｔ５の１０分前の時刻である。覚醒手段（覚醒準備手段）１１は、時刻Ｔ１から時刻Ｔ２にかけて、照明装置を用い、使用者に照射する光の照度を０から照度Ｓ１まで徐々に上げてゆく。この照度Ｓ１は約１００ルクスである。尚、照度０から照度Ｓ１までの照度は、次の睡眠状態調整期間における照度よりも低い照度である。また、時刻Ｔ１からＴ２までの期間では、睡眠状態判定手段７により使用者の睡眠状態を判定する。
【００１８】
時刻Ｔ２から時刻Ｔ５までの期間は睡眠状態調整期間である。ここで、時刻Ｔ５は、時間設定手段３により設定した起床予定時刻である。時刻Ｔ１からＴ２の期間において睡眠状態判定手段により睡眠状態が深いと判定された場合は、制御手段（覚醒動作調整手段）９の制御により、覚醒手段（睡眠状態調整手段）１１が備える照明器具の照度は、時刻Ｔ２から時刻Ｔ３にかけて、照度Ｓ１から照度Ｓ２まで急激に上昇する。時刻Ｔ３から時刻Ｔ５までの照度は照度Ｓ２で一定である。ここで、照度Ｓ２は約１０００〜２０００ルクスである。
【００１９】
一方、時刻Ｔ１からＴ２の期間において睡眠状態判定手段７により睡眠状態が浅いと判定された場合は、制御手段（覚醒動作調整手段）９の制御により、覚醒手段（睡眠状態調整手段）１１が備える明器具の照度は、時刻Ｔ２から、時刻Ｔ３よりも後の時刻Ｔ４にかけて、照度Ｓ１から照度Ｓ２までゆっくりと上昇する。時刻Ｔ４から時刻Ｔ５までの照度は照度Ｓ２で一定である。従って、睡眠状態調整期間（時刻Ｔ１から時刻Ｔ５）の中で、時刻Ｔ１から時刻Ｔ４までの間では、睡眠状態判定手段７により睡眠状態が深いと判定された場合の覚醒手段１１の照度（動作強度）は、睡眠状態が浅いと判定された場合の覚醒手段１１の照度よりも高い。
【００２０】
時刻Ｔ５では、覚醒手段１１の有するブラインドの開閉手段によりブラインドが開となり、使用者の部屋に自然光が入射し始める。そのため、時刻Ｔ５以降は、使用者のいる部屋の照度は、照度Ｓ３となる。この照度Ｓ３は、約１０、０００ルクスであり、起床予定時刻以前における最大照度Ｓ２よりも高い値である。
【００２１】
ｃ）次に、本実施例１の睡眠支援装置１の奏する効果を説明する。
i)本実施例１では、時刻Ｔ１からＴ２において使用者の睡眠状態が深いと判定された場合は、覚醒手段１１は、睡眠状態調整期間（Ｔ２からＴ５の期間）において急峻に照度を上げ、早めに高い照度となる。その高い照度により、使用者の睡眠状態は、起床予定時刻直前には、浅い睡眠状態となる。そのため、起床予定時刻Ｔ５においてブラインドが開けられた際には、使用者は浅い睡眠状態から自然光で快適に目覚めることができ、不快な思いをすることがない。
【００２２】
ii)本実施例１では、時刻Ｔ１からＴ２において浅い睡眠状態であると判定された場合は、睡眠状態調整期間（Ｔ２からＴ５の期間）において長時間をかけてゆっくりと照度を上げるので、起床予定時刻Ｔ５の直前まで、部屋の照度は低く保たれる。そのため、使用者が浅い睡眠状態にある場合でも、起床予定時刻Ｔ５以前に不本意に目を覚ましてしまうようなことがなく、起床予定時刻Ｔ５までゆっくりと眠ることができる。
【００２３】
また、時刻Ｔ１からＴ２において浅い睡眠状態であると判定された場合、起床予定時刻Ｔ５においてブラインドが開けられた際には、使用者は浅い睡眠状態から自然光で快適に目覚めることになるので、不快な思いをすることがない。
iii)本実施例１では、時刻Ｔ１からＴ２にかけて照度０から照度Ｓ１までの弱い光を照射することにより、使用者の体に覚醒準備をさせる。そのことにより、起床予定時刻において一層快適に目覚めることができる。
iv)本実施例１では、起床予定時刻Ｔ５以降において、照度Ｓ３の強い自然光を照射する。そのことにより、使用者は起床予定時刻Ｔ５に確実に目覚めることができる。また、起床予定時刻Ｔ５において照射される光は自然光であるので、使用者は快適に目覚めることができる。
【実施例２】
【００２４】
本実施例２の睡眠支援装置１の構成は前記実施例１と基本的に同じである。但し、本実施例２では、図５に示すように、制御手段９に接続した切り替え手段（睡眠状態調整期間再設定手段）２９を備えている。
【００２５】
本実施例２の作用は基本的には前記実施例１と同様であるが、切り替え手段２９を備えることにより、一部相違する。以下、具体的に説明する。
本実施例２では、図６に示すように、起床予定時刻Ｔ５よりも６０分前の時刻であるＴ０から、時刻Ｔ２まで、睡眠状態が所定の基準睡眠状態よりも浅いか否かを、睡眠状態判定手段７を用いて継続的に判定する。具体的には、脈拍数が、第２判定値よりも高い場合は、睡眠状態が基準睡眠状態よりも浅いと判定する。逆に、脈拍数が、第２判定値よりも低い場合は、睡眠状態が基準睡眠状態よりも深いと判定する。ここで、第２判定値は、判定値（図３参照）よりも高く設定された値である。
時刻Ｔ０から時刻Ｔ２までの睡眠状態が、基準睡眠状態よりも深いままである場合には、睡眠支援装置１は、前記実施例１と同様の処理を行う。このとき、時刻Ｔ１から時刻Ｔ２までの期間における脈拍数が判定値（図３参照）より高いか否かにより、睡眠状態を判定し、睡眠状態調整期間における覚醒手段１１の動作強度を設定する。
【００２６】
一方、時刻Ｔ０と時刻Ｔ２との間にある時刻Ｔａにおいて、睡眠状態が基準睡眠状態よりも浅いと判定された場合は、切り替え手段２９により、その判定がなされた時刻Ｔａを、睡眠状態調整期間の新たな始期Ｔ２'とする。また、Ｔ２’から１０分後の時刻をＴ５'とする。更に、時刻Ｔ３、Ｔ４を、Ｔ２とＴ２’の差分だけ早めた時刻を、それぞれ、Ｔ３'、Ｔ４’とする。
【００２７】
そして、本実施例２の睡眠支援装置１は、時刻Ｔ２'から時刻Ｔ５’にかけて、前記実施例１において時刻Ｔ２から時刻Ｔ５にかけて実行した処理と同様の処理を実行する。つまり、実施例２では、睡眠状態が基準睡眠状態よりも浅い時刻Ｔａが存在する場合は、覚醒準備期間を設けず、睡眠状態調整期間及び起床予定時刻を、（Ｔ２−Ｔａ）の差分だけ早い時刻に再設定する
尚、時刻Ｔ２'から時刻Ｔ５’にかけて睡眠状態調整期間の処理を実行する場合、覚醒手段１１の動作強度は、時刻Ｔ２‘における睡眠状態の判定結果に基づいて定められる。この場合の時刻Ｔ２’における脈拍は第２判定値よりも高いので、当然に判定値（図３参照）よりも高い。従って、この場合の睡眠状態判定手段７の判定結果は「睡眠状態が浅い」となり、覚醒手段１１の動作強度は、図６に示すように、「睡眠が浅いとき」の動作強度となる。
本実施例２では、上記のように、睡眠状態が特に浅い状態が検出された場合は、その検出された時刻Ｔａに合わせて使用者を目覚めさせるための処理（睡眠状態調整期間における処理、新たな起床予定時刻Ｔ５'におけるブラインドの開放）を行うことができるので、使用者は浅い睡眠状態から快適に目覚めることができる。また、本実施例２の睡眠支援装置１は、前記実施例１と同様の効果も奏することができる。
【実施例３】
【００２８】
本実施例３の睡眠支援装置１の構成は基本的には前記実施例２と同じである。但し、図５における切り替え手段２９は、本実施例３では起床予定時刻再設定手段である。
また、本実施例３の作用は基本的には前記実施例２と同様であるが、一部において相違する。以下、具体的に説明する。
【００２９】
本実施例３では、図６に示すように、起床予定時刻Ｔ５よりも６０分前の時刻であるＴ０から、時刻Ｔ２まで、睡眠状態が所定の基準睡眠状態よりも浅いか否かを、睡眠状態判定手段７を用いて継続的に判定する。具体的には、脈拍数が、第２判定値よりも高い場合は、睡眠状態が基準睡眠状態よりも浅いと判定する。逆に、脈拍数が、第２判定値よりも低い場合は、睡眠状態が基準睡眠状態よりも深いと判定する。ここで、第２判定値は、判定値（図３参照）よりも高く設定された値である。
時刻Ｔ０から時刻Ｔ２までの睡眠状態が、基準睡眠状態よりも深いままである場合には、睡眠支援装置１は、前記実施例１と同様の処理を行う。このとき、時刻Ｔ１から時刻Ｔ２までの期間における脈拍数が判定値（図３参照）より高いか否かにより、睡眠状態を判定し、睡眠状態調整期間における覚醒手段１１の動作強度を設定する。
【００３０】
一方、時刻Ｔ０と時刻Ｔ２との間にある時刻Ｔａにおいて、睡眠状態が基準睡眠状態よりも浅いと判定された場合は、切り替え手段２９により、その判定がなされた時刻Ｔａを、新たな起床予定時間Ｔ５'とする。
【００３１】
そして、本実施例３の睡眠支援装置１は、時刻Ｔ５’において、覚醒手段１１によりブラインドを開け、部屋の照度をＳ３とする。つまり、本実施例３では、睡眠状態が基準睡眠状態よりも浅い時刻Ｔａが存在する場合は、覚醒準備期間及び睡眠状態調整期間を設けず、時刻Ｔａにおいて起床予定時刻Ｔ５における処理を即座に実行する。
本実施例３では、上記のように、睡眠状態が特に浅い状態が検出された場合は、その検出された時刻Ｔａに合わせて使用者を目覚めさせるための処理（新たな起床予定時刻Ｔ５'におけるブラインドの開放）を行うことができるので、使用者は浅い睡眠状態から快適に目覚めることができる。また、本実施例３の睡眠支援装置１は、前記実施例１と同様の効果も奏することができる。
尚、本発明は前記実施例になんら限定されるものではなく、本発明を逸脱しない範囲において種々の態様で実施しうることはいうまでもない。
例えば、前記実施例１〜３において、覚醒手段１１は、睡眠状態調整期間において、睡眠状態の深い／浅いに対応して、光の照射時間を変えるようにしてもよい。具体的には、睡眠状態が深い場合は照射時間を長くし、睡眠状態が浅い場合は照射時間を短くすることができる。
また、睡眠状態判定手段７は、例えば、２種以上の異なる判定値に基づいて、睡眠状態を３種以上に区分するものであってもよい。この場合、睡眠状態調整期間における覚醒手段１１の照射強度、又は照射時間は、３種以上の睡眠状態のそれぞれに対応して、３種以上の値を設定することができる。
【図面の簡単な説明】
【００３２】
【図１】睡眠支援装置の構成を表すブロック図である。
【図２】脈波センサの構成を表す説明図である。
【図３】睡眠状態の判定方法を表す説明図である。
【図４】覚醒手段の動作強度の推移を表す説明図である。
【図５】睡眠支援装置の構成を表すブロック図である。
【図６】覚醒手段の動作強度の推移を表す説明図である。
【図７】覚醒手段の動作強度の推移を表す説明図である。
【符号の説明】
【００３３】
１・・・睡眠支援装置
３・・・時間設定手段
５・・・生体情報検出手段
７・・・睡眠状態判定手段
９・・・制御手段
１１・・・覚醒手段
１３・・・発光素子
１５・・・受光素子
１７・・・検出部
１９・・・駆動回路
２１・・・検出回路
２３・・・データ解析部
【図１】
2005177158.tif 000003
【図２】
2005177158.tif 000004
【図３】
2005177158.tif 000005
【図４】
2005177158.tif 000006
【図５】
2005177158.tif 000007
【図６】
2005177158.tif 000008
【図７】
2005177158.tif 000009